(57)【要約】【課題】景品買取機の運用効率を向上させること。【解決手段】景品買取システム１において、景品買取機１０−１は、景品買取機１０−１及び１０−２の機器利用状態を取得し、該取得した景品買取機１０−１及び１０−２それぞれの機器利用状態に基づいて、それぞれの景品買取機の機器利用状態の適正範囲を決定し、当該景品買取機の機器利用状態が決定した適正範囲から逸脱しているか否かを判定し、適正範囲から逸脱していると判定した場合に、当該景品買取機の買取り取引に係る稼動を禁止するように制御する。【選択図】        図３
2007209618.tif 000002
【特許請求の範囲】
【請求項１】
買取り依頼を受け付けた特殊景品と引き換えに、該特殊景品に相当する価値分の貨幣を払出して特殊景品の買取り取引を行う景品買取機を複数配設した景品買取システムであって、
前記景品買取機の機器利用状態を取得する機器利用状態取得手段と、
前記機器利用状態取得手段によって取得された景品買取機の機器利用状態が所定の適正範囲から逸脱しているか否かを判定する機器利用状態判定手段と、
前記機器利用状態判定手段によって前記所定の適正範囲から逸脱していると判定された場合に、当該景品買取機の前記買取り取引に係る稼動を禁止または制限するように制御する稼動禁止／制限制御手段と
を備えたことを特徴とする景品買取システム。
【請求項２】
前記機器利用状態取得手段によって取得された各景品買取機の機器利用状態に基づいて当該景品買取機の機器利用状態の適正範囲を決定する適正範囲決定手段を、さらに備え、
前記機器利用状態判定手段は、前記機器利用状態取得手段によって取得された景品買取機の機器利用状態が前記適正範囲決定手段によって決定された前記適正範囲から逸脱するか否かを判定することを特徴とする請求項１に記載の景品買取システム。
【請求項３】
前記適正範囲決定手段は、当該景品買取機の機器利用状態の適正範囲に該景品買取機の利用頻度に応じた重み付けを行う重み付け手段を、さらに備え、
前記機器利用状態判定手段は、前記機器利用状態取得手段によって取得された景品買取機の機器利用状態が前記重み付け手段によって前記重み付けが行われた適正範囲から逸脱するか否かを判定することを特徴とする請求項２に記載の景品買取システム。
【請求項４】
所定の期間ごとに、当該景品買取機の利用頻度を基準に定めた機器利用状態の適正範囲を記憶する適正範囲記憶手段を、さらに備え、
前記機器利用状態判定手段は、前記機器利用状態取得手段によって取得された景品買取機の機器利用状態が前記適正範囲記憶手段によって記憶された該当期間の適正範囲から逸脱しているか否かを判定することを特徴とする請求項１に記載の景品買取システム。
【請求項５】
前記稼動禁止／制限制御手段は、当該景品買取機の前記買取り取引に係る稼動を禁止または制限するように制御した後に、前記機器利用状態判定手段によって当該景品買取機の機器利用状態が所定の適正範囲内になったと判定されたならば、前記稼動の禁止制御または制限制御を解除することを特徴とする請求項１〜４のいずれか一つに記載の景品買取システム。
【請求項６】
前記稼動禁止／制限制御手段は、前記機器利用状態判定手段によって前記所定の適正範囲から逸脱していると判定された場合でも、他の景品買取機すべてが前記稼動を停止しているならば、当該景品買取機に対して前記稼動の禁止制御または制限制御を行わないことを特徴とする請求項１〜５のいずれか一つに記載の景品買取システム。
【請求項７】
前記稼動禁止／制限制御手段は、前記機器利用状態判定手段によって前記所定の適正範囲から逸脱していると判定された場合でも、現時刻が繁忙時間帯であるならば、前記稼動の禁止制御または制限制御を行わないことを特徴とする請求項１〜６のいずれか一つに記載の景品買取システム。
【請求項８】
買取り依頼を受け付けた特殊景品と引き換えに、該特殊景品に相当する価値分の貨幣を払出して特殊景品の買取り取引を行う景品買取機を複数配設した景品買取システムに用いる景品買取方法であって、
前記景品買取機の機器利用状態を取得する機器利用状態取得工程と、
前記機器利用状態取得工程によって取得された景品買取機の機器利用状態が所定の適正範囲から逸脱しているか否かを判定する機器利用状態判定工程と、
前記機器利用状態判定工程によって前記所定の適正範囲から逸脱していると判定された場合に、当該景品買取機の前記買取り取引に係る稼動を禁止または制限するように制御する稼動禁止／制限制御工程と
を含んだことを特徴とする景品買取方法。
【発明の詳細な説明】
【技術分野】
【０００１】
本発明は、買取り依頼を受け付けた特殊景品と引き換えに、該特殊景品に相当する価値分の貨幣を払出して特殊景品の買取り取引を行う景品買取機を複数配設した景品買取システムおよび景品買取方法に関する。
【背景技術】
【０００２】
従来より、パチンコ遊技やパチスロ遊技を提供する遊技店では、景品カウンタにおいて、遊技客が遊技で獲得した獲得玉／獲得メダルと引き換えに所望の景品を提供する景品交換サービスを行っている。
【０００３】
遊技店によって提供される景品種別には、日常品、食料品や装飾品などの一般景品の他に、遊技店とは独立した景品買取業者（景品買取場）での買取りを前提とした特殊景品が存在し、かかる特殊景品の買取りを行う景品買取場には、特殊景品の買取りを自動的に行う景品買取機が設置されている。
【０００４】
この景品買取機は、買取り依頼を受け付けた特殊景品と引き換えに、特殊景品を買い取るための景品買取金が収納された現金収納部から当該特殊景品の価値分の貨幣を払出すものである（例えば、特許文献１参照。）。
【０００５】
このような景品買取機が複数配設された景品買取場においては、買取金の不足等に起因する稼動停止を避けるために、景品買取機内に過度に多くの現金を収納させると防犯上の懸念が増大するという問題や、収容量の大きい現金収納部や景品収納部を具備する景品買取機を購入・設置するには多大な設備投資費用がかかるという問題を内包している。
【０００６】
これらのことから、かかる景品買取機においては、景品買取場内に配設されている景品買取機それぞれが万遍なく利用されたなら、景品買取金（特殊景品を買取るために用意された現金）の補充や買取景品の回収を極力行わずとも済むような容量に現金収納部および景品収納部が設計されている。
【０００７】
【特許文献１】特開２００１−２４６１４３号公報
【発明の開示】
【発明が解決しようとする課題】
【０００８】
しかしながら、上記した景品買取機を配設した景品買取場では、特定の景品買取機（例えば、景品買取場の入口に近い機器）のみが頻繁に利用された場合、すなわち「片減り」が生じた場合には、現金収納部内の景品買取金が不足したり、景品収納部内に買取景品を収納しきれなくなるので、人手により現金収納部への現金補充や景品収納部からの景品回収を行わねばならず、景品買取機の運用効率が著しく低下してしまうという問題点があった。
【０００９】
特に、朝や昼間などの閑散期において特定の景品買取機に「片減り」が生じてしまった場合には、その「片減り」が生じた景品買取機は、閉店間際などの繁忙期を迎えた際に稼動できなくなるので、上記した景品買取機を配設した景品買取場においては、この稼動不能な景品買取機の分を補ってさらに稼動する必要のある他の景品買取機に遊技客を並ばせざるを得ず、景品売渡人である遊技客の利便性を著しく損なってしまうという問題もある。
【００１０】
そこで、本発明は、上述した従来技術による課題（問題点）を解消するためになされたものであり、景品買取機の運用効率を向上させることができる景品買取システム及び景品買取方法を提供することを目的とする。
【課題を解決するための手段】
【００１１】
上述した課題を解決し、目的を達成するために、請求項１の発明に係る景品買取システムは、買取り依頼を受け付けた特殊景品と引き換えに、該特殊景品に相当する価値分の貨幣を払出して特殊景品の買取り取引を行う景品買取機を複数配設した景品買取システムであって、前記景品買取機の機器利用状態を取得する機器利用状態取得手段と、前記機器利用状態取得手段によって取得された景品買取機の機器利用状態が所定の適正範囲から逸脱しているか否かを判定する機器利用状態判定手段と、前記機器利用状態判定手段によって前記所定の適正範囲から逸脱していると判定された場合に、当該景品買取機の前記買取り取引に係る稼動を禁止または制限するように制御する稼動禁止／制限制御手段とを備えたことを特徴とする。
【００１２】
また、請求項２の発明に係る景品買取システムは、上記の発明において、前記機器利用状態取得手段によって取得された各景品買取機の機器利用状態に基づいて当該景品買取機の機器利用状態の適正範囲を決定する適正範囲決定手段を、さらに備え、前記機器利用状態判定手段は、前記機器利用状態取得手段によって取得された景品買取機の機器利用状態が前記適正範囲決定手段によって決定された前記適正範囲から逸脱するか否かを判定することを特徴とする。
【００１３】
また、請求項３の発明に係る景品買取システムは、上記の発明において、前記適正範囲決定手段は、当該景品買取機の機器利用状態の適正範囲に該景品買取機の利用頻度に応じた重み付けを行う重み付け手段を、さらに備え、前記機器利用状態判定手段は、前記機器利用状態取得手段によって取得された景品買取機の機器利用状態が前記重み付け手段によって前記重み付けが行われた適正範囲から逸脱するか否かを判定することを特徴とする。
【００１４】
また、請求項４の発明に係る景品買取システムは、上記の発明において、所定の期間ごとに、当該景品買取機の利用頻度を基準に定めた機器利用状態の適正範囲を記憶する適正範囲記憶手段を、さらに備え、前記機器利用状態判定手段は、前記機器利用状態取得手段によって取得された景品買取機の機器利用状態が前記適正範囲記憶手段によって記憶された該当期間の適正範囲から逸脱しているか否かを判定することを特徴とする。
【００１５】
また、請求項５の発明に係る景品買取システムは、上記の発明において、前記稼動禁止／制限制御手段は、当該景品買取機の前記買取り取引に係る稼動を禁止または制限するように制御した後に、前記機器利用状態判定手段によって当該景品買取機の機器利用状態が所定の適正範囲内になったと判定されたならば、前記稼動の禁止制御または制限制御を解除することを特徴とする。
【００１６】
また、請求項６の発明に係る景品買取システムは、上記の発明において、前記稼動禁止／制限制御手段は、前記機器利用状態判定手段によって前記所定の適正範囲から逸脱していると判定された場合でも、他の景品買取機すべてが前記稼動を停止しているならば、当該景品買取機に対して前記稼動の禁止制御または制限制御を行わないことを特徴とする。
【００１７】
また、請求項７の発明に係る景品買取システムは、上記の発明において、前記稼動禁止／制限制御手段は、前記機器利用状態判定手段によって前記所定の適正範囲から逸脱していると判定された場合でも、現時刻が繁忙時間帯であるならば、前記稼動の禁止制御または制限制御を行わないことを特徴とする。
【００１８】
また、請求項８の発明に係る景品買取方法は、買取り依頼を受け付けた特殊景品と引き換えに、該特殊景品に相当する価値分の貨幣を払出して特殊景品の買取り取引を行う景品買取機を複数配設した景品買取システムに用いる景品買取方法であって、前記景品買取機の機器利用状態を取得する機器利用状態取得工程と、前記機器利用状態取得工程によって取得された景品買取機の機器利用状態が所定の適正範囲から逸脱しているか否かを判定する機器利用状態判定工程と、前記機器利用状態判定工程によって前記所定の適正範囲から逸脱していると判定された場合に、当該景品買取機の前記買取り取引に係る稼動を禁止または制限するように制御する稼動禁止／制限制御工程とを含んだことを特徴とする。
【発明の効果】
【００１９】
本発明によれば、前記景品買取機の機器利用状態を取得し、該取得した景品買取機の機器利用状態が所定の適正範囲から逸脱しているか否かを判定し、所定の適正範囲から逸脱していると判定した場合に、当該景品買取機の買取り取引に係る稼動を禁止または制限するように制御することとしたので、人手による景品買取金の補充や買取景品の回収を最小限に抑制することができ、景品買取機の運用効率を向上させることが可能である。
【００２０】
また、本発明によれば、各景品買取機の機器利用状態に基づいて当該景品買取機の機器利用状態の適正範囲を決定し、景品買取機の機器利用状態が決定した適正範囲から逸脱するか否かを判定することとしたので、「片減り」が生じた景品買取機があるか否かを判定することが可能である。
【００２１】
また、本発明によれば、当該景品買取機の機器利用状態の適正範囲に該景品買取機の利用頻度に応じた重み付けを行い、景品買取機の機器利用状態が重み付けを行った適正範囲から逸脱するか否かを判定することとしたので、景品買取機の利用頻度を反映した適正範囲を判定基準とすることができ、景品買取場の実情に応じて買取り取引に係る稼動禁止制御を行うことが可能である。
【００２２】
また、本発明によれば、所定の期間ごとに、当該景品買取機の利用頻度を基準に定めた機器利用状態の適正範囲を記憶し、景品買取機の機器利用状態が記憶した該当期間の適正範囲から逸脱しているか否かを判定することとしたので、機器利用状態の状態遷移が適正であるか否かを判定することが可能である。
【００２３】
また、本発明によれば、当該景品買取機の買取り取引に係る稼動を禁止または制限するように制御した後に、当該景品買取機の機器利用状態が所定の適正範囲内になったと判定したならば、稼動の禁止制御または制限制御を解除することとしたので、機器利用状態が他の景品買取機と平滑化された後に、景品買取業務に速やかに復帰することが可能である。
【００２４】
また、本発明によれば、所定の適正範囲から逸脱していると判定した場合でも、他の景品買取機すべてが稼動を停止しているならば、当該景品買取機に対して稼動の禁止制御または制限制御を行わないこととしたので、稼動可能な景品買取機に対して稼動禁止制御を行うことに起因して景品買取場における全景品買取機が稼動を停止してしまう状況を回避することが可能である。
【００２５】
また、本発明によれば、所定の適正範囲から逸脱していると判定した場合でも、現時刻が繁忙時間帯であるならば、稼動の禁止制御または制限制御を行わないこととしたので、景品買取機が稼動可能であるにも拘らず、稼動禁止制御を行うことで、繁忙時間帯における景品買取業務の処理能力を削ぐことを防止することが可能である。
【発明を実施するための最良の形態】
【００２６】
以下に添付図面を参照して、本発明に係る景品買取システム（景品買取方法）の好適な実施例を詳細に説明する。なお、以下では、本発明に係る景品買取システムを実施例１および実施例２として説明した後に、本発明に含まれる他の実施例を実施例３として説明する。
【実施例１】
【００２７】
以下の実施例１では、実施例１に係る景品買取システムの概要および特徴、システムを構成する各装置（景品買取機）の外観構成と内部構成および処理の流れを順に説明する。
【００２８】
［概要および特徴（実施例１）］
まず最初に、図１を用いて、実施例１に係る景品買取システムの概要および特徴を説明する。図１は、実施例１に係る景品買取システムの特徴を説明するための概念図である。
【００２９】
この景品買取システム１では、買取り依頼を受け付けた特殊景品と引き換えに、該特殊景品に相当する価値分の貨幣を払出して特殊景品の買取り取引を行う景品買取機１０−１及び１０−２が併設されている。
【００３０】
ここで、このような景品買取システム１において、景品買取機１０−１は、景品買取機１０−１及び１０−２の機器利用状態を取得し、該取得した景品買取機１０−１及び１０−２それぞれの機器利用状態に基づいて当該景品買取機の機器利用状態の適正範囲を決定し、当該景品買取機の機器利用状態が決定した適正範囲から逸脱しているか否かを判定し、適正範囲から逸脱していると判定した場合に、当該景品買取機の買取り取引に係る稼動を禁止するように制御する点に主たる特徴があり、かかる一連の処理によって、景品買取機の運用効率を向上させることができるようにしている。
【００３１】
すなわち、この景品買取機１０−１では、特定の景品買取機（例えば、景品買取場の入口に近い機器）のみが頻繁に利用され、「片減り」が生じることを防止するために、一方の景品買取機に比べて頻繁に利用されている景品買取機や大きな買取り取引が行われた景品買取機の買取り取引に係る稼動を禁止するように制御する「稼動禁止制御」を行っている。
【００３２】
このような「稼動禁止制御」を行うべきか否かの判断をための判断材料として、この景品買取機１０−１は、景品買取機１０−１及び１０−２の景品買取金の在高を取得している。なお、実施例１では、景品買取機１０−１を「親機」、景品買取機１０−２を「子機」としたシステム構成を採用し、特殊景品の買取り取引は、双方の景品買取機で行い、「稼動禁止制御」に係る処理は、親機である景品買取機１０−１によって主体的に行われることとする。
【００３３】
また、かかる「稼動禁止制御」を行うべきか否かを正確に判断するための判断基準を明確にするために、景品買取機１０−１は、景品買取機１０−１及び１０−２それぞれの景品買取金の在高に基づいて、景品買取機１０−１及び１０−２それぞれの景品買取金の在高の適正範囲を決定している。
【００３４】
これを具体的に説明すると、景品買取機１０−１は、景品買取機１０−１及び１０−２の景品買取金の在高の平均値を算出し、該算出した景品買取金の在高の平均値から所定値が減算された減算値を下限値とした数値範囲を景品買取機１０−１及び１０−２それぞれの景品買取金の在高の適正範囲と決定している。
【００３５】
このように、「適正範囲」の目安に双方の在高の「平均値」を採用したのは、景品買取機１０−１及び１０−２の景品買取金の在高を平滑化するためであり、かかる「平均値」から所定値が減算された減算値「平均値−Ａ」を下限値とした数値範囲を適正範囲としたのは、適正な範囲での景品買取金の在高のばらつきを許容することで、「稼動禁止制御」が無意味に頻発して行われることを防止するためである。なお、かかる「適正範囲」に上限値を設けないこととしたのは、景品買取機の運用効率を向上させるという観点から見れば、いかに景品買取機内部の景品買取金の在高が多くとも全く問題がないからである。
【００３６】
そして、この景品買取機１０−１は、景品買取機１０−１及び１０−２それぞれの景品買取金の在高がこのようにして決定した適正範囲から逸脱しているか否かを判定する。例えば、景品買取機１０−１の景品買取金の在高が「適正範囲」の下限値に満たない場合には、景品買取機１０−１の景品買取金が「片減り」している状況（例えば、図１の（２）−１に示す状況）であると判定し、一方、景品買取機１０−２の景品買取金の在高が「適正範囲」の下限値に満たない場合には、景品買取機１０−２の景品買取金が「片減り」している状況（例えば、図１の（２）−２に示す状況）であると判定する。なお、景品買取機１０−１及び１０−２の両者の景品買取金の在高が適正範囲内である場合には、いずれの景品買取機にも「片減り」が生じていない状況であると判定される。
【００３７】
続いて、景品買取機１０−１は、このようにして適正範囲から逸脱していると判定した景品買取機の買取り取引に係る稼動を禁止するように制御する。例えば、景品買取機１０−１の景品買取金の在高が適正範囲から逸脱していると判定した場合には、景品買取機１０−１の買取り取引に係る稼動を禁止するように制御し、また、景品買取機１０−２の景品買取金の在高が適正範囲から逸脱していると判定した場合には、景品買取機１０−２の買取り取引に係る稼動を禁止するように制御する。なお、かかる「稼動禁止制御」を行った後に、その景品買取機の景品買取金の在高が経時的に適正範囲内になったことを検知した場合には、その景品買取機の「稼動禁止制御」を解除する。
【００３８】
このように、それぞれの景品買取機の景品買取金の在高が適正範囲から逸脱しているか否かを判定し、この適正範囲から逸脱していると判定した場合にその景品買取機の買取り取引に係る稼動を禁止することで、景品買取金の在高を平滑化しつつ、状態遷移させることができ（すなわち、「（１）→（２）−１→（３）」もしくは「（１）→（２）−２→（３）」のように遷移させることができ）、人手による景品買取金の補充や買取景品の回収を最小限に抑制することができる。
【００３９】
したがって、上記した従来技術の例で言えば、特定の景品買取機のみが頻繁に利用された場合に、利用されるがままに放置して「片減り」を生じさせるのではなく、それぞれの景品買取機の景品買取金の在高が適正範囲から逸脱しているか否かを判定し、この適正範囲から逸脱していると判定した場合にその景品買取機の買取り取引に係る稼動を禁止することで、適正範囲を逸脱していない他の景品買取機の利用を促すとともに、人手による景品買取金の補充や買取景品の回収を最小限に抑制することができ、上記した主たる特徴のように、景品買取機の運用効率を向上させることが可能である。
【００４０】
さらに、この景品買取システム１によれば、景品買取金の在高を平滑化しつつ、状態遷移させることで、「片減り」に起因して特定の景品買取機を稼動不能に陥らせることなく、閉店間際などの繁忙時間帯を迎えることができ、繁忙時間帯において景品買取業務の処理能力を最大限確保するとともに、景品売渡人である遊技客の利便性を向上させることが可能である。
【００４１】
［景品買取機の構成］
次に、図２を用いて、実施例１に係る景品買取機１０−１の外観構成について説明する。図２は、実施例１に係る景品買取機１０の外観構成を示す正面図である。なお、ここでは、景品買取機１０−１の外観構成を説明するが、景品買取機１０−２も同様の外観構成を有する。
【００４２】
同図に示すように、この景品買取機１０−１の前面左部５Ｌおよび前面右部５Ｒの上寄りには、特殊景品が受け入れられる景品受入口を遮蔽するためのシャッタ１４ａが設けられており、このシャッタ１４ａは、後述する外部タッチパネル１２ａを介して買取り依頼の入力操作を受け付けた時のみ開放制御される。
【００４３】
さらに、前面左部５Ｌおよび前面右部５Ｒの下寄りには、買取り取引の中止要求受付時や買取り依頼棄却時に、景品受入口を通じて買取り依頼を受け付けた特殊景品を返却するための景品返却口１４ｅが設けられている。
【００４４】
一方、前面中央部５Ｃには、買取り依頼を受け付けた特殊景品を買取る場合に、該特殊景品に相当する価値分の貨幣を払出すための紙幣出金口１５−１並びに硬貨出金口１５−２が設けられている。
【００４５】
また、景品買取機１０−１の中段部には、台座部６が設けられており、この台座部６には、払出景品の買取り依頼を行う景品売渡人（遊技客）に通知画面を表示したり、また、景品売渡人から操作入力を受け付けるための外部タッチパネル１２ａが設けられている。
【００４６】
続いて、図３を用いて、図２に示した景品買取機１０−１の内部構成について説明する。図３は、実施例１に係る景品買取機１０−１の内部構成を示すブロック図である。同図に示すように、この景品買取機１０−１は、景品買取機１０−１の各内部回路に対して電力を供給する電源部１１と、外部タッチパネル１２ａと、内部タッチパネル１２ｂと、レシート処理部１３と、景品搬送制御部１４ｂと、景品読取部１４ｃと、景品収納部１４ｄと、紙幣処理部１５ａと、硬貨処理部１５ｂと、通信制御ＩＦ部１６と、買取集計ＤＢ１７と、払出景品ＤＢ１８と、制御部１９とを備える。
【００４７】
このうち、外部タッチパネル１２ａは、液晶パネルやディスプレイなどの表示デバイスで構成された遊技客用の表示入力手段であり、図２に示す景品買取機１０−１の台座部６に設けられている。例えば、買取り依頼を受け付けた特殊景品の景品種別ごとの個数やその買取り金額などを表示したり、画面表示した取引開始ボタンの押下操作により払出景品の買取り依頼を受け付けたりする。
【００４８】
内部タッチパネル１２ｂは、液晶パネルやディスプレイなどの表示デバイスで構成された景品買取業者用の表示入力手段であり、図２に示す景品買取機１０−１の裏側引き戸の内側に設けられている。例えば、買取り集計ＤＢ１７に記憶された買取集計データを表示したり、画面表示した締め上げボタンの押下操作により買取集計データの印字要求を受け付けたりする。
【００４９】
レシート処理部１３は、各種情報を所定の媒体に印字出力する処理部である。例えば、内部タッチパネル１２ｂを通じて買取集計データの印字要求を受け付けた場合に、買取り集計ＤＢ１７に記憶された買取集計データをレシート用紙に印字して「締め上げ票」を作成する。
【００５０】
景品搬送制御部１４ｂは、景品受入口に投入された特殊景品の搬送制御を行う処理部である。具体的には、景品受入口に投入された特殊景品（買取り依頼を受け付けた特殊景品）が買取られた場合には、該特殊景品を景品収納部１４ｂに搬送し、また、買取り取引の中止要求を受け付けた場合または買取り依頼の棄却を決定した場合には、景品受入口に投入された特殊景品を景品返却口１４ｅに搬送する。
【００５１】
景品読取部１４ｃは、特殊景品に記録された情報を読み取る処理部である。具体的には、景品受入口に特殊景品が投入されたならば、該投入された特殊景品から景品ＩＤを読み取り、その景品ＩＤを参照して特殊景品を計数することで特殊景品数を景品種別ごとに計測する。
【００５２】
景品収納部１４ｄは、特殊景品を収納する処理部である。具体的には、買取り依頼を受け付けた特殊景品が買取られた場合に、その特殊景品を景品種別（例えば、「大」、「中」、「小」）ごとに収納する。
【００５３】
紙幣処理部１５ａは、紙幣の収納及び出金等を司る処理部である。具体的には、景品買取り処理部１９ａによる紙幣払出指示に応答して、景品買取金として予め収納された紙幣を紙幣出金口１５−１から出金する。
【００５４】
硬貨処理部１５ｂは、硬貨の収納及び出金等を司る処理部である。具体的には、景品買取り処理部１９ａによる硬貨払出指示に応答して、景品買取金として予め収納された硬貨を硬貨出金口１５−２から出金する。
【００５５】
通信制御ＩＦ部１６は、各種装置（例えば、遊技店の景品カウンタで払出景品として払出された特殊景品の景品ＩＤを通知する景品管理装置や景品買取機１０−２など）との間で各種通信の制御を行う処理部である。
【００５６】
買取り集計ＤＢ１７は、特殊景品の買取り取引に係る集計データを記憶する記憶（格納）手段である。例えば、景品収納部１４ｂに収納された買取景品の景品種別ごとの在高、紙幣処理部１５ａに収納された紙幣の金種別の在高や硬貨処理部１５ｂに収納された金種別の在高を記憶している。
【００５７】
払出景品ＤＢ１８は、遊技店の景品カウンタで払出された払出景品の払出景品情報を記憶する記憶（格納）手段である。具体的には、特殊景品それぞれに一意に採番された「景品ＩＤ」に、当該特殊景品が買取り済みであるか否かを示す「買取済フラグ」を対応付けて記憶している。
【００５８】
制御部１９は、景品買取機１０−１の全体制御を司る制御部であり、特に本発明に密接に関連するものとしては、景品買取り処理部１９ａと、機器利用状態取得部１９ｂと、適正範囲決定部１９ｃと、機器利用状態判定部１９ｄと、稼動禁止制御部１９ｅとを備える。
【００５９】
このうち、景品買取り処理部１９ａは、買取り依頼を受け付けた特殊景品と引き換えに、該特殊景品に相当する価値分の貨幣を払出す「景品交換処理」を行う処理部である。具体的には、景品売渡人から払出景品の買取り依頼を受け付け、さらに、景品受入口に特殊景品が投入された場合に、景品計数・読取指示を景品読取部１４ｃに行う。
【００６０】
より具体的に説明すると、外部タッチパネル１２ａに画面表示された取引開始ボタンの押下操作を受け付けた後に、特殊景品が景品受入口に投入されたならば、該投入された特殊景品から景品ＩＤを景品読取部１４ｃに読み取らせるとともに、その景品ＩＤの上一桁（例えば、特殊景品「大」には上一桁に「１」を採番し、特殊景品「中」には上一桁に「２」を採番し、特殊景品「小」には上一桁に「３」を採番する。）を参照して特殊景品を計数させることで特殊景品数を景品種別ごとに計測させる。
【００６１】
そして、景品買取り処理部１９ａは、買取り依頼を受け付けた特殊景品の中に不正な特殊景品が含まれるか否かを判定する。例えば、正当な特殊景品には予め埋め込まれている偽造防止用認識情報が当該特殊景品から検出されるか否かを判定する。
【００６２】
さらに、景品買取り処理部１９ａは、買取り依頼を受け付けた特殊景品と、払出し取引で払出された払出景品との間で整合性が担保されているか否かを判定する。具体的には、買取り依頼を受け付けた特殊景品の景品ＩＤそれぞれが払出景品ＤＢ１８に登録されているか否かを確認する。
【００６３】
続いて、景品買取り処理部１９ａは、買取り依頼を受け付けた特殊景品の中に不正な特殊景品が含まれず、かつ払出し取引との整合性が担保されている場合に、買取り依頼を受け付けた景品種別ごとの特殊景品数並びにそれに相当する買取り金額を外部タッチパネル１２ａに確認表示する。
【００６４】
ここで、景品買取り処理部１９ａは、外部タッチパネル１２ａを通じて買取り取引の実行要求を受け付けた場合に、買取りを行う特殊景品の価値に応じて払出すべき貨幣の内訳を決定し、該内訳に応じた出金指示を紙幣処理部１５ａおよび／または硬貨処理部１５ｂに行った後に、買取り集計ＤＢ１７に記憶された紙幣処理部１５ａ内の在高及び硬貨処理部１５ｂ内の在高を更新する。
【００６５】
続いて、景品買取り処理部１９ａは、買取りを行った特殊景品を景品収納部１４ｄ内に格納するように景品搬送制御部１４ｂに指示し、買取り集計ＤＢ１７に記憶された景品収納部１４ｄ内の特殊景品の在高を更新する。
【００６６】
そして、景品買取り処理部１９ａは、払出景品ＤＢ１８において、買取りを行った特殊景品の景品ＩＤに対応する買取済フラグを更新する。なお、この景品買取り処理部１９ａによる「景品買取り処理」は、買取り取引が打切られるまで再帰的に行われる。
【００６７】
機器利用状態取得部１９ｂは、各景品買取機の機器利用状態を取得する処理部である。具体的には、買取り集計ＤＢ１７に記憶された紙幣処理部１５ａ及び硬貨処理部１５ｂの在高を読み出して景品買取機１０−１の景品買取金の在高を取得し、また、同様にして、景品買取機１０−２で読み出された景品買取金の在高を通信制御ＩＦ部１６を通じて取得する。なお、実施例１では、機器利用状態として景品買取金の在高を取得することとしたが、本発明はこれに限定されるものではなく、特殊景品の買取り金額を取得するようにしてもよい。
【００６８】
適正範囲決定部１９ｃは、景品買取機１０−１及び１０−２それぞれの機器利用状態に基づいて当該景品買取機の機器利用状態の適正範囲を決定する処理部である。具体的には、景品買取機１０−１及び１０−２の景品買取金の在高の平均値を算出し、該算出した景品買取金の在高の平均値から所定値Ａが減算された減算値「平均値−Ａ」を下限値とした数値範囲を景品買取機１０−１及び１０−２それぞれの景品買取金の在高の暫定的な適正範囲と決定する。
【００６９】
このように、「適正範囲」の目安に双方の在高の「平均値」を採用したのは、景品買取機１０−１及び１０−２の景品買取金の在高を平滑化するためであり、かかる「平均値」から所定値Ａが減算された減算値「平均値−Ａ」を下限値とした数値範囲を暫定的な適正範囲としたのは、適正な範囲での景品買取金の在高のばらつきを許容することで、「稼動禁止制御」が無意味に頻発して行われることを防止するためである。
【００７０】
さらに、適正範囲決定部１９ｃは、このように暫定的に決定した適正範囲に各景品買取機の利用頻度に応じた重み付けを行う。具体的には、機器の利用頻度が高い景品買取機１０−１の適正範囲の下限値を景品買取機１０−２の適正範囲の下限値に比較して所定値「Ａ」分高い「平均値」そのものに決定し、一方で、景品買取機１０−２の景品買取金の在高の適正範囲の下限値を暫定的に決定された適正範囲の下限値「平均値−Ａ」を変更せずにそのまま採用する。
【００７１】
すなわち、景品買取場の入り口に一番近い位置に景品買取機１０−１が配設されているとしたならば、景品買取機１０−１が頻繁に利用される状況が多くなるので、景品買取機１０−１の景品買取金が景品買取機１０−２に比較して不足気味になることが予測される。そこで、機器の利用頻度が高い景品買取機１０−１内に景品買取機１０−２に比べて多くの景品買取金を常に確保するために、利用頻度が高い景品買取機の適正範囲ほど、適正範囲の下限値が高くなる「重み付け」を行っている。
【００７２】
機器利用状態判定部１９ｄは、景品買取機１０−１及び１０−２それぞれの景品買取金の在高が適正範囲決定部１９ｃによって決定された適正範囲から逸脱しているか否かを判定する処理部である。具体的には、景品買取機１０−１の景品買取金の在高が適正範囲の下限値「平均値」に満たない場合には、景品買取機１０−１の景品買取金が「片減り」している状況であると判定し、一方、景品買取機１０−２の景品買取金の在高が適正範囲の下限値「平均値−Ａ」に満たない場合には、景品買取機１０−２の景品買取金が「片減り」している状況であると判定する。なお、景品買取機１０−１及び１０−２の両者の景品買取金の在高が適正範囲内である場合には、いずれの景品買取機にも「片減り」が生じていない状況であると判定される。
【００７３】
このように、景品買取機それぞれの景品買取金の在高の適正範囲に該景品買取機の利用頻度に応じた重み付けを行い、当該景品買取機の景品買取金の在高が重み付けが行われた適正範囲から逸脱するか否かを判定することで、景品買取機の利用頻度を反映した適正範囲を判定基準とすることができ、景品買取場の実情に応じて買取り取引に係る稼動禁止制御を行うことが可能になる。
【００７４】
また、各景品買取機の景品買取金の在高を取得する度に、景品買取機それぞれの景品買取金の在高の適正範囲を決定することで、各景品買取機の景品買取金の在高の変化に応じて適正範囲を動的に決定することができる。
【００７５】
稼動禁止制御部１９ｅは、機器利用常態判定部１９ｄによって適正範囲から逸脱していると判定された景品買取機の買取り取引に係る稼動を禁止するように制御する処理部である。具体的には、景品買取機１０−１の景品買取金の在高が適正範囲の下限値「平均値」に満たないと判定された場合には、景品買取機１０−１の景品買取り処理部１９ａに買取り取引に係る稼動を禁止するように指示し、また、景品買取機１０−２の景品買取金の在高が適正範囲の下限値「平均値−Ａ」に満たないと判定された場合には、景品買取機１０−２の景品買取り処理部１９ａに買取り取引に係る稼動を禁止するように指示する。
【００７６】
なお、稼動禁止制御部１９ｅは、景品買取機内部に景品買取金が存在し、稼動可能であるにも拘らず、繁忙時間帯に稼動禁止制御を行うことを防止するために、機器利用状態判定部１９ｄによって適正範囲から逸脱していると判定された場合でも、現時刻が繁忙時間帯であるならば、稼動禁止制御を行わない。
【００７７】
また、稼動禁止制御部１９ｅは、買取り取引に係る稼動を禁止するように制御した後に、機器利用状態判定部１９ｄによって当該景品買取機の景品買取金の在高が適正範囲内になったと判定されたならば、稼動禁止制御を解除する。なお、以下では、単に「稼動」と言った場合には、景品買取り処理部１９ａによって行われる「景品買取り処理」に係る稼動を指すこととする。
【００７８】
これを具体的に説明すると、稼動禁止制御部１９ｅによって景品買取機１０−１又は１０−２のいずれかの景品買取機の「稼動」が停止された場合には、かかる稼動禁止制御を解除すべき解除時機を検知するために、機器利用状態判定部１９ｄは、「稼動」が停止された景品買取機の景品買取金の在高が適正範囲内に収まるようになったか否かを監視しているが、このとき、稼動禁止制御を行うか否かを判定する際に用いる適正範囲と同一のものを用いたのでは、もう一方の景品買取機が利用されて景品買取金の在高が適正範囲内に収まり、稼動禁止制御を解除したとしても、当該景品買取機が再度利用されたなら即時に適正範囲から逸脱してしまう。
【００７９】
このような稼動禁止制御の乱用を回避するために、適正範囲決定部１９ｃは、稼動禁止制御の解除時機を検知する際に用いる適正範囲の下限値を、稼動禁止制御の実行可否を判定する際に用いる適正範囲の下限値よりも高く設定する。例えば、景品買取機１０−１の場合には、稼動禁止制御の実行可否を判定する際に用いる適正範囲の下限値「平均値」よりも高い「平均値＋Ａ」を稼動禁止制御の解除時機を検知するための適正範囲の下限値として決定し、一方、景品買取機１０−２の場合には、稼動禁止制御の実行可否を判定する際に用いる適正範囲の下限値「平均値−Ａ」よりも高い「平均値」を稼動禁止制御の解除時機を検知するための適正範囲の下限値として決定する。
【００８０】
そして、稼動禁止制御部１９ｅは、景品買取機１０−１に対して稼動禁止制御を行っている際に、機器利用状態判定部１９ｄによって景品買取機１０−１の景品買取金の在高が適正範囲「平均値＋Ａ」内になったと判定されたならば、景品買取機１０−１に対する稼動禁止制御を解除し、また、景品買取機１０−２に対して稼動禁止制御を行っている際に、機器利用状態判定部１９ｄによって景品買取機１０−２の景品買取金の在高が適正範囲「平均値」内になったと判定されたならば、景品買取機１０−２に対する稼動禁止制御を解除する。
【００８１】
このように、当該景品買取機の買取り取引に係る稼動を禁止するように制御した後に、当該景品買取機の景品買取金の在高が適正範囲内になったと判定したならば、稼動禁止制御を解除することで、景品買取金の在高が他の景品買取機と平滑化された後に、景品買取業務に速やかに復帰することができる。
【００８２】
［処理の流れ］
次に、本実施例１に係る景品買取機１０−１の各種処理の流れを説明する。なお、ここでは、景品買取機１０−１の基本機能として景品買取り処理部１９ａによって行われる（１）景品買取り処理を説明してから、景品買取り処理に係る稼動を禁止するように制御する（２）稼動禁止制御処理を説明し、最後に、この稼動禁止制御を解除する（３）稼動禁止制御解除処理を説明する。
【００８３】
（１）景品買取り処理
前述したように、ここでは、図４を用いて、本実施例１に係る景品買取り処理を説明する。図４は、実施例１に係る景品買取り処理の手順を示すフローチャートである。同図に示すように、この「景品買取り処理」は、景品売渡人から特殊景品の買取り依頼を受け付けた場合に開始される。
【００８４】
外部タッチパネル１２ａに画面表示された取引開始ボタンの押下操作を受け付け（ステップＳ４０１肯定）、さらに、特殊景品が景品受入口に投入されたならば（ステップＳ４０２肯定）、景品買取り処理部１９ａは、投入された特殊景品から景品ＩＤを景品読取部１４ｃに読み取らせるとともに、その景品ＩＤの上一桁を参照して特殊景品を計数させることで特殊景品数を景品種別ごとに計測させる（ステップＳ４０３）。
【００８５】
続いて、景品買取り処理部１９ａは、買取り依頼を受け付けた全ての特殊景品から、正当な特殊景品に予め埋め込まれた偽造防止用認識情報が検出されるか否かを判定する（ステップＳ４０４）。
【００８６】
そして、すべての特殊景品から偽造防止用認識情報が検出可能である場合、すなわち買取り依頼を受け付けた特殊景品の中に不正な特殊景品が含まれない場合（ステップＳ４０４肯定）には、景品買取り処理部１９ａは、買取り依頼を受け付けた特殊景品の景品ＩＤそれぞれが払出景品ＤＢ１８に登録されているか否かを確認する（ステップＳ４０５）。
【００８７】
ここで、買取り依頼を受け付けた特殊景品の中に不正な特殊景品が含まれている場合（ステップＳ４０４否定）、或いは払出景品ＤＢ１８に登録されていない景品ＩＤを有する特殊景品が買取り依頼を受け付けた特殊景品に含まれる場合（すなわち、払出し取引との整合性が担保されていない場合）には（ステップＳ４０５否定）、景品買取り処理部１９ａは、景品受入口に投入された特殊景品を景品返却口１４ｅに搬送するように景品搬送制御部１４ｂに指示する（ステップＳ４０６）。
【００８８】
また、買取り依頼を受け付けた特殊景品の中に不正な特殊景品が含まれず、かつ払出し取引との整合性が担保されている場合（ステップＳ４０４肯定かつステップＳ４０５肯定）には、景品買取り処理部１９ａは、買取り依頼を受け付けた景品種別ごとの特殊景品数並びにそれに相当する買取り金額を外部タッチパネル１２ａに確認表示する（ステップＳ４０７）。
【００８９】
その後、外部タッチパネル１２ａを通じて買取り取引の実行要求を受け付けた場合（ステップＳ４０８肯定）に、景品買取り処理部１９ａは、買取りを行う特殊景品の価値に応じて払出すべき貨幣の内訳を決定し、該内訳に応じた出金指示を紙幣処理部１５ａおよび／または硬貨処理部１５ｂに行った後（ステップＳ４０９）に、買取り集計ＤＢ１７に記憶された紙幣処理部１５ａ内の在高及び硬貨処理部１５ｂ内の在高を更新する（ステップＳ４１０）。
【００９０】
続いて、景品買取り処理部１９ａは、買取りを行った特殊景品を景品収納部１４ｄ内に格納するように景品搬送制御部１４ｂに指示し（ステップＳ４１１）、買取り集計ＤＢ１７に記憶された景品収納部１４ｄ内の特殊景品の在高を更新する（ステップＳ４１２）。
【００９１】
最後に、景品買取り処理部１９ａは、払出景品ＤＢ１８において、買取りを行った特殊景品の景品ＩＤに対応する買取済フラグを更新し（ステップＳ４１３）、処理を終了する。なお、上記のステップＳ４０１〜Ｓ４１３の処理は、買取り取引が打切られるまで再帰的に行われる。
【００９２】
（２）稼動禁止制御処理
次に、図５を用いて、本実施例１に係る稼動禁止処理の手順を説明する。図５は、実施例１に係る稼動禁止制御の手順を示すフローチャートである。この「稼動禁止制御処理」は、現時刻が繁忙時間帯でないことを前提に、景品買取機１０−１又は１０−２の景品買取り処理部１９ａによって新たな買取り取引が行われる度に行われる。
【００９３】
同図に示すように、機器利用状態取得部１９ｂは、景品買取機１０−１及び１０−２の機器利用状態を取得する（ステップＳ５０１）。具体的には、買取り集計ＤＢ１７に記憶された紙幣処理部１５ａ及び硬貨処理部１５ｂの在高を読み出して景品買取機１０−１の景品買取金の在高を取得し、また、同様にして、景品買取機１０−２で読み出された景品買取金の在高を通信制御ＩＦ部１６を通じて取得する。
【００９４】
そして、適正範囲決定部１９ｃは、景品買取機１０−１及び１０−２それぞれの機器利用状態に基づいて当該景品買取機の機器利用状態の適正範囲を決定する（ステップＳ５０２）。具体的には、景品買取機１０−１及び１０−２の景品買取金の在高の平均値を算出し、該算出した景品買取金の在高の平均値から所定値Ａが減算された減算値「平均値−Ａ」を下限値とした数値範囲を景品買取機１０−１及び１０−２それぞれの景品買取金の在高の暫定的な適正範囲と決定し、その後、機器の利用頻度が高い景品買取機１０−１の適正範囲の下限値を景品買取機１０−２の適正範囲の下限値に比較して所定値「Ａ」分高い「平均値」そのものに決定し、一方で、景品買取機１０−２の景品買取金の在高の適正範囲の下限値を暫定的に決定された適正範囲の下限値「平均値−Ａ」を変更せずにそのまま採用する。
【００９５】
続いて、機器利用状態判定部１９ｄは、景品買取機１０−１の景品買取金の在高が適正範囲内であるか否か、すなわち適正範囲の下限値「平均値」以上であるか否かを判定する（ステップＳ５０３）。
【００９６】
このとき、景品買取機１０−１の景品買取金の在高が適正範囲の下限値「平均値」に満たない場合（ステップＳ５０３否定）には、稼動禁止制御部１９ｅは、景品買取機１０−１の景品買取り処理部１９ａに買取り取引に係る稼動を禁止するように指示し（ステップＳ５０４）、後述する「稼動禁止制御解除処理」に移行する。なお、この時、外部タッチパネル１２ａには、他の景品買取機での買取り取引を促す旨の画面表示が行われる。
【００９７】
また、景品買取金の在高が適正範囲の下限値「平均値」以上である場合（ステップＳ５０３肯定）には、機器利用状態判定部１９ｄは、景品買取機１０−２の景品買取金の在高が適正範囲内であるか否か、すなわち適正範囲の下限値「平均値」以上であるか否かを判定する（ステップＳ５０５）。
【００９８】
このとき、景品買取機１０−２の景品買取金の在高が適正範囲の下限値「平均値−Ａ」に満たない場合（ステップＳ５０５否定）には、稼動禁止制御部１９ｅは、景品買取機１０−２の景品買取り処理部１９ａに買取り取引に係る稼動を禁止するように指示し（ステップＳ５０６）、後述する「稼動禁止制御解除処理」に移行する。なお、この時、外部タッチパネル１２ａには、他の景品買取機での買取り取引を促す旨の画面表示が行われる。
【００９９】
一方、景品買取機１０−１及び１０−２それぞれの景品買取金の在高が適正範囲内である場合（ステップＳ５０３肯定かつステップＳ５０５肯定）には、稼動禁止制御部１９ｅは、景品買取機１０−１及び１０−２の稼動を維持する旨を決定し（ステップＳ５０７）、処理を終了する。
【０１００】
（３）稼動禁止制御解除処理
次に、図６を用いて、本実施例１に係る稼動禁止制御解除処理を説明する。図６は、実施例１に係る稼動禁止制御解除処理の手順を示すフローチャートである。この「稼動禁止制御解除処理」は、景品買取機１０−１または１０−２のいずれかに対して稼動禁止制御が行われた場合に開始される。
【０１０１】
同図に示すように、現時刻が繁忙時間帯に至った場合（ステップＳ６０１肯定）には、稼動禁止制御部１９ｅは、景品買取機１０−１及び１０−２の機器利用状態に拘らず、稼動停止中の景品買取機の稼動禁止制御を解除し（ステップＳ６０２）、上記した「稼動禁止制御処理」に移行する。
【０１０２】
また、現時刻が繁忙時間帯ではなく、景品買取り処理部１９ａによって新たに買取り取引が行われた場合（ステップＳ６０１否定かつステップＳ６０３肯定）には、機器利用状態取得部１９ｂは、買取り集計ＤＢ１７に記憶された紙幣処理部１５ａ及び硬貨処理部１５ｂの在高を読み出して景品買取機１０−１の景品買取金の在高を取得し、また、同様にして、景品買取機１０−２で読み出された景品買取金の在高を通信制御ＩＦ部１６を通じて取得する（ステップＳ６０４）。
【０１０３】
続いて、適正範囲決定部１９ｃは、景品買取機ごとに、稼動禁止制御の解除時機を検知する際に用いる適正範囲の下限値を、稼動禁止制御の実行可否を判定する際に用いる適正範囲の下限値よりも高く設定する（ステップＳ６０５）。
【０１０４】
例えば、景品買取機１０−１の場合には、稼動禁止制御の実行可否を判定する際に用いる適正範囲の下限値「平均値」よりも高い「平均値＋Ａ」を稼動禁止制御の解除時機を検知するための適正範囲の下限値として決定し、一方、景品買取機１０−２の場合には、稼動禁止制御の実行可否を判定する際に用いる適正範囲の下限値「平均値−Ａ」よりも高い「平均値」を稼動禁止制御の解除時機を検知するための適正範囲の下限値として決定する。
【０１０５】
そして、稼動停止された景品買取機が景品買取機１０−１である場合（ステップＳ６０６肯定）には、機器利用状態判定部１９ｄは、景品買取機１０−１の景品買取金の在高が適正範囲内であるか否か、すなわち適正範囲の下限値「平均値＋Ａ」以上であるか否かを判定する（ステップＳ６０７）。
【０１０６】
このとき、景品買取機１０−１の景品買取金の在高が適正範囲内になった場合、すなわち適正範囲の下限値「平均値＋Ａ」以上になった場合（ステップＳ６０７肯定）には、稼動禁止制御部１９ｅは、景品買取機１０−１に対する稼動禁止制御を解除し（ステップＳ６０２）、上記した「稼動禁止制御処理」に移行する。
【０１０７】
また、稼動停止された景品買取機が景品買取機１０−２である場合（ステップＳ６０６否定）には、機器利用状態判定部１９ｄは、景品買取機１０−２の景品買取金の在高が適正範囲内であるか否か、すなわち適正範囲の下限値「平均値」以上であるか否かを判定する（ステップＳ６０８）。
【０１０８】
このとき、景品買取機１０−２の景品買取金の在高が適正範囲内になった場合、すなわち適正範囲の下限値「平均値」以上になった場合（ステップＳ６０８肯定）には、稼動禁止制御部１９ｅは、景品買取機１０−１に対する稼動禁止制御を解除し（ステップＳ６０２）、上記した「稼動禁止制御処理」に移行する。
【０１０９】
なお、景品買取機１０−１の景品買取金の在高が適正範囲の下限値「平均値＋Ａ」に満たない場合、或いは景品買取機１０−２の景品買取金の在高が適正範囲の下限値「平均値」に満たない場合（ステップＳ６０７否定またはステップＳ６０８否定）には、上記のステップＳ６０１〜Ｓ６０６までの処理を再帰的に行う。
【０１１０】
上述してきたように、実施例１に係る景品買取システム１によれば、それぞれの景品買取機の景品買取金の在高が適正範囲から逸脱しているか否かを判定し、この適正範囲から逸脱していると判定した場合にその景品買取機の買取り取引に係る稼動を禁止するように構成したので、適正範囲を逸脱していない他の景品買取機の利用を促すとともに、人手による景品買取金の補充や買取景品の回収を最小限に抑制することができ、景品買取機の運用効率を向上させることが可能である。
【実施例２】
【０１１１】
次に、実施例２に係る景品買取システムを説明する。以下の実施例２では、実施例２に係る景品買取システムの概要および特徴、システムを構成する各装置の構成および処理の流れを順に説明する。
【０１１２】
［概要および特徴（実施例２）］
まず最初に、図７を用いて、実施例２に係る景品買取システムの概要および特徴を説明する。図７は、実施例２に係る景品買取システムの特徴を説明するための概念図である。
【０１１３】
実施例２に係る景品買取システム１は、各景品買取機の景品買取金の在高を取得する度に景品買取金の在高の適正範囲を動的に決定して機器利用状態を判定する実施例１に比較して、所定の期間ごとに、当該景品買取機の利用頻度を基準に定めた景品買取金の在高の適正範囲を記憶し、当該景品買取機の景品買取金の在高が記憶した該当期間の適正範囲から逸脱しているか否かを判定する点に主たる特徴がある。
【０１１４】
すなわち、実施例２に係る景品買取システムでは、特定の景品買取機（例えば、景品買取場の入口に近い機器）のみが頻繁に利用され、「片減り」が生じることを防止するために、機器の利用頻度を基準に予測した予測範囲を超えて利用された景品買取機の買取り取引に係る稼動を禁止するように制御する「稼動禁止制御」を行い、もう一方の景品買取機の利用を促している。
【０１１５】
この景品買取システム１において、景品買取機１０−１は、当該景品買取機１０−１の景品買取金の在高の状態遷移が適正であるか否かを判定するために、各営業時間帯ごとに、当該景品買取機の利用頻度を基準に定めた景品買取金の在高の適正範囲を記憶している。この「適正範囲」は、繁忙期において景品買取機１０−１内に一定の景品買取金が確保されるように、担保されるべき景品買取金の在高の下限値を時系列に定めたものである。
【０１１６】
また、この景品買取機１０−１は、景品買取機１０−１自身の景品買取金の在高を取得している。なお、実施例１では、景品買取機１０−１を「親機」、景品買取機１０−２を「子機」としたシステム構成を採用し、「稼動禁止制御」に係る処理を親機である景品買取機１０−１が主体的に行う実施例について説明したが、本実施例２では、景品買取機１０−１及び１０−２を並列的な関係としたシステム構成を採用し、それぞれが「稼動禁止制御」に係る処理を主体的に行う。
【０１１７】
そして、この景品買取機１０−１は、景品買取機１０−１の景品買取金の在高が予め記憶した該当営業時間帯の景品買取金の在高の適正範囲から逸脱しているか否かを判定する。具体的には、景品買取機１０−１の景品買取金の在高が「適正範囲」の下限値に満たない場合には、景品買取金の在高の状態遷移が適正でない状況（例えば、図７の（２）に示す状況）であると判定し、また、景品買取機１０−１の景品買取金の在高が「適正範囲」の下限値以上である場合には、景品買取金の在高の状態遷移が適正である状況と判定する。
【０１１８】
続いて、景品買取機１０−１は、景品買取金の在高が適正範囲から逸脱していると判定した場合には、景品買取機１０−１の買取り取引に係る稼動を禁止するように制御する。なお、かかる「稼動禁止制御」を行った後に、時間経過を景品買取金の在高が経時的に適正範囲内になったことを検知した場合には、その景品買取機の「稼動禁止制御」を解除する。
【０１１９】
このように、景品買取機１０−１の景品買取金の在高が機器の利用頻度を基準に定めた適正範囲を逸脱した場合に、買取り取引に係る稼動を禁止するように制御することで、景品買取金の在高を営業時間帯ごとに定められた適正範囲に追従させる状態遷移を行うことができ（すなわち、（１）→（２）→（３）のように遷移させることができ）、実施例１と同様、人手による景品買取金の補充や買取景品の回収を最小限に抑制することができる。
【０１２０】
したがって、実施例２に係る景品買取システム１によれば、景品買取金の在高が機器の利用頻度を基準に定めた適正範囲を逸脱した場合に、買取り取引に係る稼動を禁止するように制御することで、他の景品買取機の利用を促すとともに、人手による景品買取金の補充や買取景品の回収を最小限に抑制することができ、実施例１と同様、景品買取機の運用効率を向上させることが可能である。
【０１２１】
［景品買取機の構成］
続いて、実施例２に係る景品買取機の構成を説明する。なお、ここでは、実施例１と重複する説明を省略し、実施例１に係る景品買取システムの構成または機能と差異が存在する点を説明する。
【０１２２】
図８に示すように、実施例２に係る景品買取機１０−１は、実施例１と比較して、適正範囲ＤＢ３０を付設した点が相違する。この適正範囲ＤＢ３０は、各営業時間帯ごとに、当該景品買取機の利用頻度を基準に定めた景品買取金の在高の適正範囲を記憶する記憶（格納）手段である。この「適正範囲」は、繁忙期において景品買取機１０−１内に一定の景品買取金が確保されるように、担保されるべき景品買取金の在高の下限値を時系列に定めたものである。
【０１２３】
この適正範囲ＤＢ３０の付設に伴う相違点を説明すると、機器利用状態判定部１９ｄは、機器利用状態取得部１９ｂによって取得された景品買取金の在高が適正範囲ＤＢ３０によって記憶された該当営業時間帯の景品買取金の在高の適正範囲から逸脱しているか否かを判定する。具体的には、景品買取機１０−１の景品買取金の在高が「適正範囲」の下限値に満たない場合には、景品買取金の在高の状態遷移が適正でない状況であると判定し、また、景品買取機１０−１の景品買取金の在高が「適正範囲」の下限値以上である場合には、景品買取金の在高の状態遷移が適正である状況と判定する。
【０１２４】
そして、稼動禁止制御部１９ｅは、機器利用状態判定部１９ｄによって景品買取金の在高が適正範囲から逸脱していると判定された場合に、景品買取り処理部１９ａに買取り取引に係る稼動を禁止するように指示する。なお、かかる「稼動禁止制御」を行った後に、時間経過を景品買取金の在高が経時的に適正範囲内になったことを検知した場合には、その景品買取機の「稼動禁止制御」を解除する。
【０１２５】
なお、稼動禁止制御部１９ｅは、稼動可能な景品買取機に対して稼動禁止制御を行うことに起因して景品買取場における全景品買取機が稼動を停止してしまう状況を回避するために、機器利用状態判定部１９ｄによって景品買取金の在高が適正範囲から逸脱していると判定された場合でも、景品買取機１０−２が稼動停止中であるならば、稼動禁止制御を行わない。
【０１２６】
［処理の流れ］
次に、本実施例２に係る景品買取機１０−１の各種処理の流れを説明する。なお、ここでは、景品買取り処理に係る稼動を禁止するように制御する（１）稼動禁止制御処理を説明した後に、この稼動禁止制御を解除する（２）稼動禁止制御解除処理を説明する。
【０１２７】
（１）稼動禁止制御処理
前述したように、ここでは、図９を用いて、本実施例２に係る稼動禁止処理の手順を説明する。図９は、実施例１に係る稼動禁止制御の手順を示すフローチャートである。この「稼動禁止制御処理」は、現時刻が繁忙時間帯でないことを前提に、景品買取り処理部１９ａによって新たな景品買取り処理が行われる度に行われる。
【０１２８】
同図に示すように、機器利用状態取得部１９ｂは、景品買取機１０−１の機器利用状態を取得する（ステップＳ９０１）。具体的には、買取り集計ＤＢ１７に記憶された紙幣処理部１５ａ及び硬貨処理部１５ｂの在高を読み出して景品買取金の在高を取得する。
【０１２９】
機器利用状態取得後（ステップＳ９０１終了後）に、機器利用状態判定部１９ｄは、適正範囲ＤＢ３０から該当する営業時間帯の景品買取金の在高の適正範囲を読み出す（ステップＳ９０２）。
【０１３０】
ここで、機器利用状態判定部１９ｄは、機器利用状態取得部１９ｂによって取得された景品買取金の在高が該当営業時間帯の適正範囲から逸脱しているか否か、すなわち該当営業時間帯の適正範囲の下限値に満たないか否かを判定する（ステップＳ９０３）。
【０１３１】
このとき、景品買取金の在高が「適正範囲」の下限値に満たず、なおかつ景品買取機１０−２が稼動中である場合（ステップＳ９０３肯定かつステップＳ９０４肯定）には、稼動禁止制御部１９ｅは、景品買取り処理部１９ａに買取り取引に係る稼動を禁止するように指示し（ステップＳ９０５）、後述する「稼動禁止制御解除処理」に移行する。なお、この時、外部タッチパネル１２ａには、他の景品買取機での買取り取引を促す旨の画面表示が行われる。
【０１３２】
一方、景品買取金の在高が「適正範囲」の下限値以上である場合、或いは、景品買取金の在高が「適正範囲」の下限値に満たないが景品買取機１０−２が稼動停止中である場合（ステップＳ９０３否定、或いは、ステップＳ９０３肯定かつステップＳ９０４否定）には、稼動禁止制御部１９ｅは、景品買取機１０−１及び１０−２の稼動を維持する旨を決定し（ステップＳ９０６）、処理を終了する。
【０１３３】
（２）稼動禁止制御解除処理
次に、本実施例２に係る稼動禁止制御解除処理を説明する。図１０は、実施例２に係る稼動禁止制御解除処理の手順を示すフローチャートである。この「稼動禁止制御解除処理」は、景品買取機１０−１で稼動禁止制御が行われた場合に開始される。
【０１３４】
同図に示すように、現時刻が繁忙時間帯に至った場合（ステップＳ１００１肯定）には、稼動禁止制御部１９ｅは、景品買取機１０−１の機器利用状態の如何に拘らず、当該景品買取機１０−１の稼動禁止制御を解除し（ステップＳ１００２）、上記した「稼動禁止制御処理」に移行する。
【０１３５】
また、現時刻が繁忙時間帯ではなく、景品買取り処理部１９ａによって新たに買取り取引が行われた場合（ステップＳ１００１否定かつステップＳ１００３肯定）には、機器利用状態取得部１９ｂは、買取り集計ＤＢ１７に記憶された紙幣処理部１５ａ及び硬貨処理部１５ｂの在高を読み出して景品買取金の在高を取得する（ステップＳ１００４）。
【０１３６】
機器利用状態取得後（ステップＳ１００４終了後）に、機器利用状態判定部１９ｄは、適正範囲ＤＢ３０から該当する営業時間帯の景品買取金の在高の適正範囲を読み出す（ステップＳ１００５）。
【０１３７】
ここで、機器利用状態判定部１９ｄは、機器利用状態取得部１９ｂによって取得された景品買取金の在高が該当営業時間帯の適正範囲内に復帰したか否か、すなわち該当営業時間帯の適正範囲の下限値以上になったか否かを判定する（ステップＳ１００６）。
【０１３８】
このとき、景品買取金の在高が適正範囲内になった場合、すなわち適正範囲の下限値以上になった場合（ステップＳ１００６肯定）には、稼動禁止制御部１９ｅは、当該景品買取機１０−１に対する稼動禁止制御を解除し（ステップ１００２）、上記した「稼動禁止制御処理」に移行する。
【０１３９】
なお、景品買取金の在高が適正範囲の下限値に満たない場合（ステップＳ１００６否定）には、上記のステップＳ１００１〜Ｓ１００５までの処理を再帰的に行う。
【０１４０】
上述してきたように、実施例２に係る景品買取システム１によれば、景品買取金の在高が機器の利用頻度を基準に定めた適正範囲を逸脱した場合に、買取り取引に係る稼動を禁止するように制御することで、他の景品買取機の利用を促すとともに、人手による景品買取金の補充や買取景品の回収を最小限に抑制することができ、景品買取機の運用効率を向上させることが可能である。
【実施例３】
【０１４１】
さて、これまで本発明の実施例について説明したが、本発明は上述した実施例以外にも、種々の異なる形態にて実施されてよいものである。そこで、以下では、本発明に含まれる他の実施例を説明する。
【０１４２】
（１）機器利用状態の具体例
上記した実施例１及び２では、機器利用状態として、景品買取金の在高を用いる実施例について説明したが、本発明はこれに限定されるものではなく、この他、買取り金額、買取景品数（残り収納可能数）、取引回数などの機器利用状態をのうち、少なくともいずれか一つかもしくはこれらの組合せを用いて本発明を実施するようにしてもよい。
【０１４３】
（２）適正範囲
上記した実施例１及び２では、景品買取機の運用効率を向上させるという観点から、景品買取金の在高の「適正範囲」に下限値のみをもうけることとしたが、本発明はこれに限定されるものではなく、景品買取機内に過度に多くの現金を収納することに起因して各種犯罪にさらされる危険を予防する観点などから、かかる「適正範囲」に上限値をもうけるようにしてもよい。
【０１４４】
（３）稼動制御
上記した実施例１及び２では、買取り取引に係る稼動制御として、稼動禁止制御を行う場合について説明したが、本発明はこれに限定されるものではなく、一度の買取り依頼で受け付ける買取り金額に制限を設けるなどの稼動制限制御を行ってもよい。
【０１４５】
（４）配設される景品買取機
上記した実施例１及び２では、景品買取機１０−１及び１０−２の２つの景品買取機が配設された景品買取場に本発明を適用する実施例について説明したが、本発明はこれに限定されるものではなく、複数台の景品買取機が配設された景品買取場であれば、本発明を同様に適用することができる。
【０１４６】
（５）景品買取金の多寡
本発明では、各景品買取機に準備される景品買取金は、それぞれの景品買取機で同一であってもよいし、利用頻度の高さに応じて金額を変更してもよい（例えば、入り口から近い→多め、入り口から遠い→少なめ）。
【０１４７】
（６）その他
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４８】
また、図示した各装置の各構成要素は機能概念的なものであり、必ずしも物理的に図示の如く構成されていることを要しない。すなわち、各装置の分散・統合の具体的形態は図示のものに限られず、機器利用状態取得部１９ｂ、適正範囲決定部１９ｃ、機器利用状態判定部１９ｄ、稼動禁止制御部１９ｅの全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４９】
以上のように、本発明に係る景品買取システム及び景品買取方法は、景品買取機の運用効率を向上させることができる景品買取システム及び景品買取方法に適している。
【図面の簡単な説明】
【０１５０】
【図１】実施例１に係る景品買取システムの特徴を説明するための概念図である。
【図２】実施例１に係る景品買取機の外観構成を示す正面図である。
【図３】実施例１に係る景品買取機の内部構成を示すブロック図である。
【図４】実施例１に係る景品買取り処理の手順を示すフローチャートである。
【図５】実施例１に係る稼動禁止制御の手順を示すフローチャートである。
【図６】実施例１に係る稼動禁止制御解除処理の手順を示すフローチャートである。
【図７】実施例２に係る景品買取システムの特徴を説明するための概念図である。
【図８】実施例２に係る景品買取機の内部構成を示すブロック図である。
【図９】実施例２に係る稼動禁止制御の手順を示すフローチャートである。
【図１０】実施例２に係る稼動禁止制御解除処理の手順を示すフローチャートである。
【符号の説明】
【０１５１】
１    景品買取システム
１０−１，１０−２  景品買取機
１１    電源部
１２ａ  外部タッチパネル
１２ｂ  内部タッチパネル
１３    レシート処理部
１４ｂ  景品搬送制御部
１４ｃ  景品読取部
１４ｄ  景品収納部
１５ａ  紙幣処理部
１５ｂ  硬貨処理部
１６    通信制御ＩＦ部
１７    買取り集計ＤＢ
１８    払出景品ＤＢ
１９    制御部
１９ａ  景品買取り処理部
１９ｂ  機器利用状態取得部
１９ｃ  適正範囲決定部
１９ｄ  機器利用状態判定部
１９ｅ  稼動禁止制御部
【図１】
2007209618.tif 000003
【図２】
2007209618.tif 000004
【図３】
2007209618.tif 000005
【図４】
2007209618.tif 000006
【図５】
2007209618.tif 000007
【図６】
2007209618.tif 000008
【図７】
2007209618.tif 000009
【図８】
2007209618.tif 000010
【図９】
2007209618.tif 000011
【図１０】
2007209618.tif 000012